【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
分析装置のキャビティ（５４）内に設置されるようにした試薬容器アッセンブリーであって、これが、
少なくとも１つの円形列のチャンバー（６５，６６）を画成するハウジング（２１２）であって、かつ、上部開口部を有し、夫々のチャンバー（６５，６６）が試薬容器（６２）を受理するようになっているものと；
該ハウジング（２１２）の上部開口部を閉塞するためのカバー（２１１）と；
該ハウジング（２１２）に対して前記カバー（２１１）を解放可能に締め付ける締付け手段であって、該締付け手段は、前記ハウジング（２１２）内に配置された締付けスリーブ（２１５）および締付けピン（２１６）を具備し、前記試薬容器アッセンブリーが前記分析装置の前記キャビティ内に配置されていないときに、前記締め付けが前記カバー（２１１）の前記ハウジング（２１２）に対する回転を防止するようになっており、
試薬容器アッセンブリー（６１）が前記分析装置の前記キャビティ内に配置されているとき、前記締付け手段（２１５，２１６）は、分析装置の前記キャビティ（５４）の底部中央に配置されたボルト（２２４）と連動するようになっていて、前記ハウジング（２１２）に対する前記カバー（２１１）の前記締め付けが該連動によって解放されるようになっているものと；
を具備してなることを特徴とする試薬容器アッセンブリー。
【請求項２】
（ａ）反応用キュベット（３１）を円形路に沿って移送するための回転自在なコンベア（１１）であって、このコンベアが；
円形列のキャビティ（１３）を有し、各キャビティが単一の反応用キュベット（３１）を受理するようにした第１のリング状本体（１２）と、
該第１のリング状本体（１２）の内側から上方に延出する壁面（１５）を有し、該壁面（１５）が複数の開口部（１６）を有し、その夫々が複数の前記反応用キュベット（３１）を保持するキュベットホルダー（４１）の対応する接続部（４４）を受理するようにした第２のリング状本体（１４）と、
を具備してなり、該第２のリング状本体（１４）が、その内部に第１のチャンバー（１７）を画成してなるものと；
（ｂ）該第２のリング状本体（１４）内の第１のチャンバー（１７）内に配置され、かつ、第２のチャンバー（５４）を画成する底面（５２）と側壁（５３）とを有するバケット（５１）と；
（ｃ）請求項１に記載の試薬容器アッセンブリー（６１）であって、それが前記第２のチャンバー（５４）内に配置可能となっていて、該試薬容器アッセンブリー（６１）が更に複数の試薬容器（６２）を有し、その夫々が液状の特定の試薬を有するものと；
（ｄ）前記コンベア（１１）を段階的に回転させるためのコンベア駆動手段（２２）と；
を具備してなることを特徴とする自動分析装置。
【請求項３】
（ａ）前記コンベア（１１）の第１のリング状本体（１２）の反応用キュベット（３１）の対応するキャビティ（１３）内に挿入された複数の反応用キュベット（３１）を含む少なくとも１つのキュベット列と；
（ｂ）夫々、分析すべき液体サンプルを収容する試料管を受理するようにした複数のキャビティ（１９）を有する前記コンベア（１１）に隣接して配置された試料管領域（１８）と；
（ｃ）前記試料管からサンプルを、前記試薬容器から試薬をそれぞれピペットで反応用キュベット（３１）に移し、液体サンプル−試薬混合物を形成するための自動ピペット装置（７１）と；
を更に具備してなることを特徴とする請求項２記載の自動分析装置。
【請求項４】
反応用キュベット（３１）内に収容された液体サンプル−試薬混合物の光度測定を行うため前記コンベア（１１）近傍に配置された光度計（２１）を更に具備してなることを特徴とする請求項２記載の自動分析装置。
【手続補正２】
【補正対象書類名】明細書
【補正対象項目名】００８３
【補正方法】変更
【補正の内容】
【００８３】
図２９は、図２７に示すカバー２１１、締付けスリーブ２１５およびボルト２２４の第２の斜視図を示している。図２８には、試薬容器アッセンブリー６１が図２７に示す位置にあるとき、突起２３１および２３２は夫々スリーブ２１５の窪み２３５および２３６に導入されることが示されている。これにより、試薬容器アッセンブリー６１のハウジング２１２に対するカバー２１１の回転が抑止されることになる。ハウジング２１２（その上部２１３および下部２１４）は、しかしながら、下方に摺動自在となっていて、その動きにより締付けピン２１６が、ハウジング２１２の上部２１３におけるそのロック位置から外れることになり、それにより、このハウジング２１２の上部２１３が載置されているコンベア１１の回転によってハウジング２１２が自由に回転されることになる。図３１は、この状態になったときの締付けスリーブ２１５および締付けピン２１６の位置を示している。
【手続補正３】
【補正対象書類名】明細書
【補正対象項目名】００８７
【補正方法】変更
【補正の内容】
【００８７】
１１ コンベア
１２ 第１のリング状本体
１３ 反応用キュベットを受理するためのキャビティ
１４ 第２のリング状本体
１５ 第２のリング状本体の壁部
１６ 開口部
１７ 第１のチャンバー（第２のリング状本体内）
１８ 試料管領域
１９ 試料管を受理するためのキャビティ
２０ 熱ブロック
２１ 光度計
２２ コンベア駆動手段／歯車
２３ 洗浄ステーション
２４ 光度計の光線路
２５ コンベア１１の回転軸
２６ 図１５の部分
２７ 図１７の部分
２８ 図１９の部分
２９ 断熱層
３１ 反応用キュベット
３２ キュベット３１の本体
３３ キュベット３１の下端部
３４ キュベット３１の上端部
３５ キュベット３１の底面
３６ キュベット３１の開口部
３７ 硬質舌部
３８ 硬質舌部
３９ キュベット３１の長手方向対称軸
４０ 可撓性舌部
４１ キュベットホルダー
４２ キュベットホルダーの本体
４３ キュベットホルダーのチャンバー
４４ 接続部／案内リブ
４５ 上方フレーム
４６ 下方フレーム
４７ 側壁
４８ 側壁
４９ 中間壁部
５０ 可撓性舌部
５１ バケット／中空体
５２ バケットの底面
５３ バケットの側壁
５４ キャビティ／バケット内の第２のチャンバー
５５ 空隙
６０ 中間壁部
６０ａ 中間壁部
６１ 試薬容器アッセンブリー
６２ 試薬容器
６３ 試薬容器
６４ 試薬容器
６５ 試薬容器を受理するためのチャンバー
６６ 試薬容器を受理するためのチャンバー
７１ 自動ピペット装置
７２ ピペット針
７３ ピペット針の移送装置のレール
２１１ カバー
２１２ ハウジング
２１３ ハウジングの上部
２１４ ハウジングの下部
２１５ 締付けスリーブ
２１６ 締付けピン
２１７ 窪み（ハウジング上部２１３内）
２１８ 窪み（ハウジング上部２１３内）
２１９ ガイド（カバー２１１の一部）
２２１ ガイド
２２２ ガイド
２２３ フック
２２４ ボルト
２２５ 空隙
２２６ 窪み
２２７ 突起
２２８ 突起
２３１ 突起
２３２ 突起
２３３ 窪み
２３４ 窪み
２３５ 窪み
２３６ 窪み
２４１ ピペット操作のためのカバー２１１の開口部
２４２ ピペット操作のためのカバー２１１の開口部
２４３ 手で握るためのカバー２１１の開口部
２４４ 手で握るためのカバー２１１の開口部
２４５ 試薬容器を除去又は導入するためのカバー２１１の開口部
２５１ 本体１４の上面
２５２ 突起
２５３ 突起
２５４ くさび形マーカー
２５５ くさび形マーカー